(57)【要約】      （修正有）【課題】等脚台形の条件を有する事により、収縮時膨潤時に上底長さ、下底長さの違いによって、木表側に反る性質が緩和されると同時に、変形が最少限に抑えられ、木裏、木表、木の元、木の末を交互連結させる事により、構造物全体の変形量を最少化及び平均化する。【解決手段】単一形の木材成形加工材の交互連結による、床、内壁及び耐力壁、天井等の建築構造物を形成する建材であって、等脚台形の条件を有し、さね加工を設ける。【選択図】図１
2011174221.tif 000002
【特許請求の範囲】
【請求項１】
単一形の木材成形加工材の交互連結による、床、内壁及び耐力壁、天井等の建築構造物を形成する建材であって、等脚台形の条件を有し、さね加工を設けた建材。
【請求項２】
請求項１記載の建材であって、同樹種及び異樹種、集成材、フィンガージョイント材等の木材によって構成連結された建築構造物。
【請求項３】
請求項１及び請求項２記載の建材であって、接着剤等を介して連続展開によるパネル化された建築構造物。
【発明の詳細な説明】
【技術分野】
【０００１】
本発明は、単一形状の建材と、同形状の垂直１８０度回転体との交互連結による建築構造物を形成する建材と、これを用いた建築構造物に関する。
【背景技術】
【０００２】
建築構造物の一部である床、壁、天井、塀等では一般的に価格、意匠性、アレルギー問題等により木材製品が選択される傾向にある。木製商品においては、表面形状、樹種等による差別化商品の開発に力点がおかれている。又現状ニーズに対応出来ている感がある。
【０００３】
木材成形加工材に対してのニーズは、前項において述べたものであるが、製造者側からの視点で見ると、原木からの製品歩留まり（特許文献１）の向上、あるいは施工性を考慮したもの（特許文献２）等、エンドユーザーに商品提供及び、情報を発信している。
【０００４】
しかし、商品の提供及び、開発に対して一番重要な事は、木材の特徴、特性を知り木材を生かす事である。木材の含水率管理、強度測定は現在では、常識である。次に考えるべき事は、木材の調湿作用、及び温度変化において床、壁、天井等の構成全体の変形を考えていかねばならない。並行し、製造方法の単純化さらには、施工性の効率化も考慮しなければならない。
【先行技術文献】
【特許文献】
【０００５】
【特許文献１】特開平１０−３７３４８号公報
【特許文献２】特開２００４−２３９０２６号公報
【発明の概要】
【発明が解決しようとする課題】
【０００６】
解決しようとする問題点は、構成体の温度変化、湿度変化による収縮及び膨潤による変形である。
【課題を解決するための手段】
【０００７】
本発明は、等脚台形の条件を有する事により、収縮時膨潤時に上底長さ、下底長さの違いによって、木表側に反る性質が緩和されると、同時に変形が最少限に抑えられ、木裏、木表、木の元、木の末を交互連結させる事により、構造物全体の変形量の最少化及び平均化を特徴とする。
【発明の効果】
【０００８】
本発明の木材成形加工材は、凹凸部即ちサネ部を設ける事により、現場施工の熟練化がなされている。凹凸部に接着剤等を介して圧力をかける事が簡単に出来ることから、パネル化による工場生産が可能になるという利点がある。
【図面の簡単な説明】
【０００９】
【図１】図１はこの発明を実施する単一形状の建材用加工材の説明図である。
【図２】図２は図１の断面図であり形状の効果を説明する説明図である。
【図３】図３は建材用加工材の実施展開を説明する説明図である。
【図４】図４は建築構造物の実施方法を説明する説明図である。（実施例１）
【図５】図５は図４の実施例１と複合部材との相乗効果を説明する説明図である。（実施例２）
【発明を実施するための形態】
【００１０】
本発明は建築構造物の構成体自体が温度、湿度等の変化による収縮量、膨潤量に伴う変形を最少限にする為に、等脚台形の条件を有した単一形状の建材用加工材が実現した。
【００１１】
図１は、モルダー等によって形成された単一形状の建材用加工材の説明図である。尚、木材の持つ特性として下記と表１、表２に示す。
【００１２】
木材の収縮率、膨潤率は方向により異なり、接線方向で最大であり、半径方向が
これに次ぎ、繊維方向では非常に小さい。この割合はほぼ１０：５：１〜０．５と言われている。
【００１３】
【表１】
2011174221.tif 000003
【００１４】
【表２】
2011174221.tif 000004
【００１５】
図１に示した建材用加工材は含水率１５％前後である。表１及び表２は収縮、膨潤の方向性を表している。例えば室内環境３５℃５９％であれば、木材は１０％の調湿作用が働く。故に図１の建材は１５％位である為、木材中の水分を放出して木材含水率が１０％になるような作用が働き、収縮が始まる。その時の異方性の割合が１０:５:1〜０．5である。ちなみに木材の寸法変化は２８％ぐらいを境に起こると言われている。更にその逆の現象として、３５℃８１％の室内環境の場合、平衡含水率は１５．８％である為に建材が空気中の水分を吸収し、１５％から１５．８%に向かう膨潤が起こる。更に木口面１２、１３は密度が違う為、変化量は、同一でない。
【００１６】
図２は図１の断面図であり、形状の効果を説明する説明図であって２２，２３は温度湿度による収縮率、膨潤率はたとえ同じであっても寸法変化の相違が発生する。故に木表側に反る性質が緩和される。次の構造上の等脚台形の効果は、１４、１５の中心は２４，２５の中心と同一点に有ると共に内角２６，２７によって建材は連結の要素を持。更に２８、２９、３０、３１、１４の長さ、１５の長さの総和は従来の建材断面の長方形の２４，２５の和より長くなる。即ち表面積の拡大につながる。この拡大の効果は実施例１及び実施例２で記述する。
【００１７】
図３は本発明の実施する為の展開を説明する図である。
建材４０をZ方向いわゆる長さ方向に対して１８０度回転すると建材４１になる。建材４０と４１の相対性により、木材の収縮及び膨潤の平均化が木口面、木の裏、表の方向転換によって実現される。更に連結が可能な状態になる。
【実施例１】
【００１８】
図４は建築構造物の実施方法を説明する図である。釘及び木ネジ等による施工方法は従来通り割り材５０、４０、４１、４０、４１、の連続連結とし、最終割り材５１によって建築構造物となる。次に工場等にて接着剤等を介してのパネル化生産を実施した場合、先に記した斜面による表面積拡大から接着強度が増大する効果がある。
【実施例２】
【００１９】
図５は図４の実施例１と複合部材との相乗効果を説明する説明図である。角桟、蟻桟は本来反り止め又は反りを緩和する為であるが、本発明では次の効果が付加される。本発明の建材が外部から受けた力によって発生する横ずれ力が、角桟蟻桟に対して直角ではなく斜角に接する為、力の分散がなされる効果がある。
【産業上の利用可能性】
【００２０】
本発明の形状の特異性による利用可能分野として成形加工する前の原板を化粧貼集成材、造作用集成材等の集成材及びフィンガージョイント材にする事も可能で有るが本発明の木材とはこれらもさす。
【符号の説明】
【００２１】
１０  木表板面    
１１  木裏板面
１２  木の元口面
１３  木の末口面
１４  さね凹部    
１５  さね凸部
２０  上底
２１  下底
２２  上底長さ
２３  下底長さ
２４  さね凸部高さ
２５  さね凹部高さ
２６  内角  θ１
２７  内角  θ２
２８  凸部斜面上部
２９  凸部斜面下部
３０  凹部斜面上部
３１  凹部斜面下部
４０  木口元側材
４１  木口末側材    
５０  割り材
５１  割り材
６０  角桟
６１  蟻桟
【図１】
2011174221.tif 000005
【図２】
2011174221.tif 000006
【図３】
2011174221.tif 000007
【図４】
2011174221.tif 000008
【図５】
2011174221.tif 000009